(57)【要約】【課題】  光ファイバの種類が不明な場合でも光ファイバの長さに応じて光増幅器の利得を制御することを目的とする。【解決手段】  伝送路に送信する光信号である送信光を増幅する第１光増幅器と、第１光増幅器により増幅された送信光の強度を検出する第１検出部と、伝送路に出力された送信光が伝送路内で散乱することにより伝送路から戻される戻り光の強度を検出する第２検出部と、伝送路を介して受信する光信号である受信光の強度を検出する第３検出部と、第１検出部により検出された送信光の強度、第２検出部により検出された戻り光の強度、および第３検出部により検出された受信光の強度に基づいて伝送路の種類と長さとを求め、求めた伝送路の種類と長さとに基づいて第１光増幅器の利得を制御する制御部とを有する。【選択図】    図１
2016149622.tif 000002
【特許請求の範囲】
【請求項１】
伝送路に送信する光信号である送信光を増幅する第１光増幅器と、
前記第１光増幅器により増幅された前記送信光の強度を検出する第１検出部と、
前記伝送路に出力された前記送信光が前記伝送路内で散乱することにより前記伝送路から戻される戻り光の強度を検出する第２検出部と、
前記伝送路を介して受信する光信号である受信光の強度を検出する第３検出部と、
前記第１検出部により検出された前記送信光の強度、前記第２検出部により検出された前記戻り光の強度、および前記第３検出部により検出された前記受信光の強度に基づいて前記伝送路の種類と長さとを求め、求めた前記伝送路の種類と長さとに基づいて前記第１光増幅器の利得を制御する制御部と
を備えることを特徴とする伝送装置。
【請求項２】
請求項１に記載の伝送装置において、
前記制御部は、前記送信光と前記戻り光との強度から前記伝送路の種類を求め、前記送信光と前記受信光との強度の差分から前記伝送路の長さを求めることを特徴とする伝送装置。
【請求項３】
請求項１または請求項２に記載の伝送装置において、
前記受信光を増幅する第２光増幅器を備え、
前記制御部は、求めた前記伝送路の種類と長さとに基づいて前記第２光増幅器の利得を制御する
ことを特徴とする伝送装置。
【請求項４】
伝送路に送信する光信号で第１光増幅器により増幅された送信光の強度を第１検出部により検出し、
前記伝送路に出力された前記送信光が前記伝送路内で散乱することにより前記伝送路から戻される戻り光の強度を第２検出部により検出し、
前記伝送路を介して受信する光信号である受信光の強度を第３検出部により検出し、
前記第１検出部により検出された前記送信光の強度、前記第２検出部により検出された前記戻り光の強度、および前記第３検出部により検出された前記受信光の強度に基づいて前記伝送路の種類と長さとを求め、求めた前記伝送路の種類と長さとに基づいて前記第１光増幅器の利得を制御部により制御する
ことを特徴とする伝送装置の利得制御方法。
【発明の詳細な説明】
【技術分野】
【０００１】
本発明は、伝送装置および伝送装置の利得制御方法に関する。
【背景技術】
【０００２】
例えば、光信号を伝送する伝送装置は、光信号を増幅するＥＤＦＡ（Erbium Doped Fibre Amplifier）等の光増幅器を有し、増幅した光信号を光ファイバに出力する。しかしながら、伝送装置から出力された光信号の一部は、光ファイバにおけるブリルアン散乱等の散乱により、戻り光として伝送装置に戻る。戻り光の強度は、伝送装置が出力する光信号の強度の増大に従い増大する。そして、戻り光の強度の増大は、光信号を受信する伝送装置のＯＳＮＲ（Optical Signal-to-Noise Ratio）を劣化させ通信の品質を低下させる。
【０００３】
そこで、戻り光の性質を利用して戻り光の強度から光ファイバの長さを求め、求めた長さに応じて光増幅器の利得を制御する伝送装置が提案されている（特許文献１参照）。
【先行技術文献】
【特許文献】
【０００４】
【特許文献１】特開２０１４−１１６８８２号公報
【発明の概要】
【発明が解決しようとする課題】
【０００５】
戻り光の強度と光ファイバの長さとの関係は光ファイバの種類によって異なる。このため、伝送に用いられている光ファイバの種類が不明な場合、光ファイバの長さを精度良く求めることは困難であり、光ファイバの長さに応じて光増幅器の利得を制御することは困難である。
【０００６】
本件開示の伝送装置および伝送装置の利得制御方法は、光ファイバの種類が不明な場合でも光ファイバの長さに応じて光増幅器の利得を制御することを目的とする。
【課題を解決するための手段】
【０００７】
一つの観点の伝送装置は、伝送路に送信する光信号である送信光を増幅する第１光増幅器と、第１光増幅器により増幅された送信光の強度を検出する第１検出部と、伝送路に出力された送信光が伝送路内で散乱することにより伝送路から戻される戻り光の強度を検出する第２検出部と、伝送路を介して受信する光信号である受信光の強度を検出する第３検出部と、第１検出部により検出された送信光の強度、第２検出部により検出された戻り光の強度、および第３検出部により検出された受信光の強度に基づいて伝送路の種類と長さとを求め、求めた伝送路の種類と長さとに基づいて第１光増幅器の利得を制御する制御部とを有する。
【０００８】
別の観点の伝送装置の利得制御方法は、伝送路に送信する光信号で第１光増幅器により増幅された送信光の強度を第１検出部により検出し、伝送路に出力された送信光が伝送路内で散乱することにより伝送路から戻される戻り光の強度を第２検出部により検出し、伝送路を介して受信する光信号である受信光の強度を第３検出部により検出し、第１検出部により検出された送信光の強度、第２検出部により検出された戻り光の強度、および第３検出部により検出された受信光の強度に基づいて伝送路の種類と長さとを求め、求めた伝送路の種類と長さとに基づいて第１光増幅器の利得を制御部により制御する。
【発明の効果】
【０００９】
本件開示の伝送装置および利得制御方法は、光ファイバの種類が不明な場合でも光ファイバの長さに応じて光増幅器の利得を制御することができる。
【図面の簡単な説明】
【００１０】
【図１】伝送装置および伝送装置の利得制御方法の一実施形態を示す図である。
【図２】伝送装置および伝送装置の利得制御方法の別実施形態を示す図である。
【図３】図２に示した伝送装置の一例を示す図である。
【図４】図２に示した伝送路から受信する光信号の一例を示す図である。
【図５】図２に示した伝送路の種類と戻り光との関係の一例を示す図である。
【図６】図２に示した光増幅器の利得を制御する利得制御処理の一例を示す図である。
【発明を実施するための形態】
【００１１】
以下、図面を用いて実施形態について説明する。
【００１２】
図１は、伝送装置および伝送装置の利得制御方法の一実施形態を示す。
【００１３】
図１に示した伝送装置１００（１）は、第１光増幅器１０、第１検出部２０、第２検出部３０、第３検出部４０および制御部５０を有する。伝送装置１００（２）は、伝送装置１００（１）と同一または同様の要素を有し、伝送装置１００（１）と同様に動作する。そして、伝送装置１００（１）、１００（２）は、光ファイバ等の伝送路ＯＦを介して互いに接続され、伝送システム２００として動作する。以下では、伝送装置１００（１）の構成および機能が説明される。
【００１４】
第１光増幅器１０は、伝送装置１００（１）に接続された外部装置等から受信した光信号を増幅し、増幅した光信号を送信光として伝送路ＯＦに出力する。
【００１５】
第１検出部２０は、伝送装置１００（１）が含むスプリッタ等により分離された送信光の一部を受信し、送信光の強度を検出し、検出した送信光の強度を制御部５０に出力する。
【００１６】
第２検出部３０は、伝送路ＯＦに出力された送信光が伝送路ＯＦ内でブリルアン散乱等により散乱することにより、伝送路ＯＦから戻される戻り光の強度を検出し、検出した戻り光の強度を制御部５０に出力する。
【００１７】
第３検出部４０は、伝送路ＯＦを介して伝送装置１００（２）から受信する光信号である受信光のうち、伝送装置１００（１）のスプリッタ等により分離された受信光の一部を受信し、受信光の強度を検出し、検出した受信光の強度を制御部５０に出力する。
【００１８】
制御部５０は、第１検出部２０により検出された送信光の強度、第２検出部３０により
検出された戻り光の強度、および第３検出部４０により検出された受信光の強度に基づいて、伝送路ＯＦの種類と長さとを求める。例えば、伝送路ＯＦの長さは、伝送装置１００（１）、１００（２）間の距離に対応する。制御部５０は、求めた伝送路ＯＦの種類と長さとに基づいて、第１光増幅器１０の光源が出力する出力光の強度を調整することで、第１光増幅器１０の利得を制御する。
【００１９】
例えば、制御部５０は、伝送路ＯＦの種類ごとの送信光の強度と戻り光の強度との関係を示す情報を参照し、第１検出部２０により検出された送信光の強度と、第２検出部３０により検出された戻り光の強度とから伝送路ＯＦの種類を判別する。また、制御部５０は、第１検出部２０により検出された送信光の強度と、第３検出部４０により検出された受信光の強度との差分から伝送損失を算出する。そして、制御部５０は、判別された伝送路ＯＦの種類における１キロメートル等の単位長さ当たりの伝送損失である伝送損失特性の情報を参照し、算出された伝送損失から伝送路ＯＦの長さを求める。制御部５０は、求めた伝送路ＯＦの種類と長さに基づいて、ブリルアン散乱が抑制される範囲で第１光増幅器１０の利得を制御する。
【００２０】
以上、図１に示した実施形態では、送信光、戻り光および受信光の強度をそれぞれ検出することで、伝送路ＯＦの種類と長さとを求める。伝送装置１００は、求めた伝送路ＯＦの種類と長さとに基づいて第１光増幅器１０により増幅する送信光の強度を調整することで、通信の品質が保証される範囲で第１光増幅器１０の利得を制御することができる。すなわち、伝送路ＯＦの種類と長さに応じて第１光増幅器１０の利得を、ブリルアン散乱が抑制される範囲で制御することで、伝送装置１００（１）、１００（２）間での通信の品質が低下することを抑止することができる。
【００２１】
図２は、伝送装置および利得制御方法の別実施形態を示す。図２に示した伝送装置１００ａ（１）と伝送装置１００ａ（２）とは、光ファイバ等の伝送路ＯＦ１で接続される。また、伝送装置１００ａ（１）は、例えば、信号線ＳＬ１を介しコンピュータ装置等の端末装置３００ａと接続され、伝送装置１００ａ（２）は、信号線ＳＬ２を介し端末装置３００ｂと接続される。そして、伝送装置１００ａ（１００ａ（１）、１００ａ（２））は、伝送システム２００として動作し、端末装置３００ａ、３００ｂ間でデータを伝送する。
【００２２】
なお、伝送装置１００ａは、インターネット等のネットワークにそれぞれ接続され、ネットワーク間でデータを伝送してもよい。
【００２３】
図３は、図２に示した伝送装置１００ａ（１）の一例を示す。伝送装置１００ａ（２）は、伝送装置１００ａ（１）と同一または同様の要素を有する。伝送装置１００ａ（１）は、ＩＦ（Interface）部１１０、電気光変換部１１５、光増幅器ＥＤＦＡ１、ＥＤＦＡ２、スプリッタＳＰ１−ＳＰ４、ＰＤ（Photo Detector）１２０ａ−１２０ｃおよび制御部１３０を有する。また、伝送装置１００ａ（１）は、記憶部１３５、波長フィルタ１４０ａ、１４０ｂ、定電圧電源１５０ａ、１５０ｂ、加算部１６０ａ、１６０ｂ、電圧電流変換部１７０ａ、１７０ｂおよび光電気変換部１７５を有する。
【００２４】
ＩＦ部１１０は、信号線ＳＬ１を介して図２に示した端末装置３００ａと接続され、端末装置３００ａの間でデータを電気信号で送受信する。ＩＦ部１１０は、端末装置３００ａから受信したデータの電気信号を電気光変換部１１５に出力する。また、ＩＦ部１１０は、光電気変換部１７５から受信した電気信号を、信号線ＳＬ１を介して端末装置３００ａに出力する。
【００２５】
電気光変換部１１５は、端末装置３００ａから受信した電気信号を所定の波長の光信号に変換するＬＤ（Laser Diode）等の光源を有する。電気光変換部１１５は、光源により変換した光信号を光増幅器ＥＤＦＡ１に出力する。光電気変換部１７５は、伝送装置１００ａ（２）から受信した光信号を電気信号に変換するフォトダイオード等を有する。光電気変換部１７５は、フォトダイオード等により変換した電気信号をＩＦ部１１０を介して端末装置３００ａに出力する。
【００２６】
なお、ＩＦ部１１０に接続される端末装置３００ａ（および端末装置３００ｂ）は、１つに限らず、複数の端末装置がＩＦ部１１０に接続されてもよい。この場合、電気光変換部１１５により変換された各端末装置３００ａの光信号を波長分割多重等の手法により多重化し、多重化した光信号を光増幅器ＥＤＦＡ１に出力する要素が、電気光変換部１１５と光増幅器ＥＤＦＡ１との間に配置されてもよい。また、光増幅器ＥＤＦＡ２から出力された多重化された光信号を端末装置３００ａごとに分離する要素が、光増幅器ＥＤＦＡ２と光電気変換部１７５との間に配置されてもよい。
【００２７】
光増幅器ＥＤＦＡ１は、ＬＤ（Laser Diode）１８０ａと、電気光変換部１１５が出力する光信号を伝送する光ファイバ１９０ａとを有する。光増幅器ＥＤＦＡ１は、例えば、エルビウムイオンをドープしたＥＤＦ（Erbium Doped Fiber）等の光ファイバ１９０ａにＬＤ１８０ａの出力光を出力することにより、電気光変換部１１５からの光信号を増幅する。光増幅器ＥＤＦＡ１は、増幅した光信号を送信光としてスプリッタＳＰ１に出力する。
【００２８】
光増幅器ＥＤＦＡ２は、ＬＤ（Laser Diode）１８０ｂと、伝送装置１００ａ（２）から受信した受信光を伝送する光ファイバ１９０ｂとを有する。光増幅器ＥＤＦＡ２は、例えば、ＥＤＦ等の光ファイバ１９０ｂにＬＤ１８０ｂの出力光を出力することにより、伝送装置１００ａ（２）から受信した受信光を増幅する。光増幅器ＥＤＦＡ２は、増幅した光信号を光電気変換部１７５に出力する。光増幅器ＥＤＦＡ１、ＥＤＦＡ２の利得は、ＬＤ１８０ａ、ＬＤ１８０ｂの出力光の強度を設定することで制御される。
【００２９】
スプリッタＳＰ１は、光増幅器ＥＤＦＡ１により増幅された送信光を分割しスプリッタＳＰ２とＰＤ１２０ａとに出力する。スプリッタＳＰ２は、スプリッタＳＰ１からの送信光をスプリッタＳＰ３に出力するとともに、スプリッタＳＰ３から受信する光信号を分離し波長フィルタ１４０ａに出力する。スプリッタＳＰ３は、スプリッタＳＰ２から受信する送信光を伝送路ＯＦ１に出力するとともに、伝送路ＯＦ１から受信する光信号を分割しスプリッタＳＰ２と波長フィルタ１４０ｂとに出力する。スプリッタＳＰ４は、波長フィルタ１４０ｂから受信する光信号を分割しＰＤ１１０ｃと光増幅器ＥＤＦＡ２とに出力する。
【００３０】
波長フィルタ１４０ａは、スプリッタＳＰ２から受信する光信号のうち戻り光の波長成分を透過するフィルタ特性を有する。すなわち、波長フィルタ１４０ａは、スプリッタＳＰ２から受信する光信号のうち戻り光をＰＤ１２０ａに出力する。波長フィルタ１４０ｂは、伝送路ＯＦ１から受信する光信号のうち伝送装置１００ａ（２）から出力される受信光の波長成分を透過するフィルタ特性を有する。すなわち、波長フィルタ１４０ｂは、伝送路ＯＦ１から受信する光信号のうち伝送装置１００ａ（２）からの受信光をＰＤ１２０ｂに出力する。波長フィルタ１４０ａ、１４０ｂのフィルタ特性については、図４で説明する。
【００３１】
ＰＤ１２０ａ、１２０ｂ、１２０ｃの各々は、受信する光信号の強度を測定するフォトダイオード等の検出器を有する。ＰＤ１２０ａは、光増幅器ＥＤＦＡ１から出力された送信光の強度を検出し、検出した送信光の強度を制御部１３０に出力する。ＰＤ１２０ｂは、受信する戻り光の強度を検出し、検出した戻り光の強度を制御部１３０に出力する。ＰＤ１２０ｃは、伝送装置１００ａ（２）から出力される受信光の強度を検出し、検出した受信光の強度を制御部１３０に出力する。
【００３２】
記憶部１２５は、フラッシュメモリ等であり、伝送装置１００ａ（１）が実行するプログラムを記憶する。また、記憶部１２５は、伝送路ＯＦ１の種類および長さを求めるために参照する伝送路情報１３５を記憶する。伝送路情報１３５については図５で説明する。
【００３３】
制御部１３０は、記憶部１２５に格納された伝送路情報１３５を参照し、ＰＤ１２０ａ、ＰＤ１２０ｂ、ＰＤ１２０ｃにより検出された送信光と戻り光と受信光との強度に基づいて伝送路ＯＦ１の種類と長さとを求める。制御部１３０は、求めた伝送路ＯＦ１の種類と長さとに基づいて、光増幅器ＥＤＦＡ１のＬＤ１８０ａが出力する出力光の強度を調整する電圧ΔＶ１を加算部１６０ａに出力する。また、制御部１３０は、求めた伝送路ＯＦ１の種類と長さとに基づいて、光増幅器ＥＤＦＡ２のＬＤ１８０ｂが出力する出力光の強度を調整する電圧ΔＶ２を加算部１６０ｂに出力する。制御部１３０の動作については、図５で説明する。
【００３４】
定電圧電源１５０ａは、光増幅器ＥＤＦＡ１のＬＤ１８０ａに基準となる０ｄＢｍ等の強度の出力光を出力させる一定の電圧Ｖ１をＬＤ１８０ａに供給する。定電圧電源１５０ａは、電圧Ｖ１を加算部１６０ａに出力する。定電圧電源１５０ｂは、光増幅器ＥＤＦＡ２のＬＤ１８０ｂに基準となる０ｄＢｍ等の強度の出力光を出力させる一定の電圧Ｖ２をＬＤ１８０ｂに供給する。定電圧電源１５０ｂは、電圧Ｖ２を加算部１６０ｂに出力する。
【００３５】
加算部１６０ａは、制御部１３０から出力される電圧ΔＶ１と定電圧電源１５０ａから出力される一定の電圧Ｖ１とを加算し、加算した電圧（Ｖ１＋ΔＶ１）を電圧電流変換部１７０ａに出力する。加算部１６０ｂは、制御部１３０から受信した電圧ΔＶ２と定電圧電源１５０ｂから出力される一定の電圧Ｖ２とを加算し、加算した電圧（Ｖ２＋ΔＶ２）を電圧電流変換部１７０ｂに出力する。
【００３６】
電圧電流変換部１７０ａは、加算部１６０ａから受信した電圧（Ｖ１＋ΔＶ１）を電流Ｉ１に変換し、変換した電流Ｉ１を光増幅器ＥＤＦＡ１のＬＤ１８０ａに供給する。ＬＤ１８０ａは、供給される電流Ｉ１に応じた強度の出力光を出力する。光増幅器ＥＤＦＡ１は、ＬＤ１８０ａから出力させる出力光の強度に応じた利得で、光ファイバ１９０ａに伝送する送信光を増幅する。電圧電流変換部１７０ｂは、加算部１６０ｂから受信した電圧（Ｖ２＋ΔＶ２）を電流Ｉ２に変換し、変換した電流Ｉ２を光増幅器ＥＤＦＡ２のＬＤ１８０ｂに供給する。そして、ＬＤ１８０ｂは、供給される電流Ｉ２に応じた強度の出力光を出力する。光増幅器ＥＤＦＡ２は、ＬＤ１８０ｂから出力させる出力光の強度に応じた利得で、光ファイバ１９０ｂに伝送する受信光を増幅する。
【００３７】
図４は、図２に示した伝送路ＯＦ１から受信する光信号の一例を示す。図４は、横軸に光信号の波長、縦軸に光信号の強度を示すグラフである。図４に示した光信号は、伝送装置１００ａ（２）からの受信光（例えば中心波長λ２）のスペクトル４００と、伝送路ＯＦ１における送信光（例えば中心波長λ１）の戻り光のスペクトル４０１とを有する。戻り光は、伝送路ＯＦ１に出力された送信光が、ブリルアン散乱等により散乱することで発生する。戻り光のスペクトル４０１は、受信光のスペクトル４００と比べて広い波長分布を示す。なお、波長λ１は、波長λ２より長くてもよく、波長λ２より短くてもよい。
【００３８】
波長フィルタ１４０ａは、伝送路ＯＦ１から受信する光信号のうち戻り光４０１を透過させ、受信光４００を除去するフィルタ特性４０３を有する。波長フィルタ１４０ｂは、伝送路ＯＦ１から受信する光信号のうち受信光４００を透過させ、戻り光４０１を除去するフィルタ特性４０２を有する。
【００３９】
伝送路ＯＦ１は、石英ガラスあるいは樹脂等を用いて製造された一芯または二芯等の光ファイバを有する。すなわち、伝送路ＯＦ１に使用される光ファイバは、様々な種類がある。例えば、光ファイバには、１３００ナノメートル帯域の光信号に対して損失が最も少なくなるシングルモード光ファイバ（ＳＭＦ：Single Mode Fiber）がある。また、光ファイバには、１５５０ナノメートル帯域の光信号に対して損失が最も少なくなる分散シフト光ファイバ（ＤＳＦ：Dispersion Shifted Fiber）がある。
【００４０】
図５は、図２に示した伝送路ＯＦ１の種類と戻り光との関係の一例を示す。図５は、ＳＭＦあるいはＤＳＦの各々を用いた伝送路ＯＦ１において、送信光の強度と戻り光の強度との関係をそれぞれ示す。図５は、横軸に送信光の強度、縦軸に戻り光の強度を示すグラフである。また、戻り光の強度ＰＷｒは、例えば、伝送路ＯＦ１を介して互いに接続される伝送装置１００ａ間における通信の品質が保証される上限値を示す。そして、図５に示したグラフの特性を示す伝送路情報１３５は、伝送装置１００ａの記憶部１２５に予め格納される。
【００４１】
図５において、送信光の強度が強度ＰＷｓ１以下の場合、ＳＭＦおよびＤＳＦにおける戻り光の強度は、４ｄＢ程度の一定の強度差を保ちながら送信光の強度に比例して増大する。これにより、図３に示した制御部１３０は、記憶部１２５に記憶された伝送路情報１３５を参照し、ＰＤ１２０ａ、１２０ｂによりそれぞれ検出された送信光および戻り光の強度に基づいて伝送路ＯＦ１の種類がＳＭＦかＤＳＦかを判別することができる。
【００４２】
一方、送信光の強度が所定の強度（例えば強度ＰＷｓ１）より大きい場合、送信光の強度の増大に伴い、送信光の後方散乱の度合いが指数関数的に増大するため、戻り光の強度は、後方散乱の度合いに伴い指数関数的に増大する。すなわち、送信光の強度が強度ＰＷｓ１を超えた場合、送信光の強度が少し変化するだけで、戻り光の強度は、送信光の強度が強度ＰＷｓ１以下の場合と比べて大きく変化する。このため、制御部１３０は、伝送路情報１３５を参照し、ＰＤ１２０ａおよびＰＤ１２０ｂによりそれぞれ検出された送信光および戻り光の強度から伝送路ＳＭＦあるいは伝送路ＤＳＦかを判別することが困難となる。なお、伝送路ＯＦ１がＳＭＦの場合、送信光の強度が強度ＰＷｓ１と強度ＰＷｓ２との範囲において戻り光の強度が強度ＰＷｒ以下であるため、制御部１３０は、ＳＭＦを使用した伝送路ＯＦ１であることを判別してもよい。すなわち、ＰＤ１２０ａにより検出された送信光の強度が強度ＰＷｓ１と強度ＰＷｓ２との間にあり、戻り光の強度が強度ＰＷ３以下の場合、制御部１３０は、伝送路ＯＦ１の種類をＳＭＦと判別する。
【００４３】
なお、記憶部１２５は、図５に示したグラフの関数と、伝送路ＯＦ１がＳＭＦあるいはＤＳＦに応じて関数に設定されるパラメータとを伝送路情報１３５として保持してもよい。あるいは、記憶部１２５は、図５に示したグラフに基づき送信光の強度に対するＳＭＦの戻り光の強度とＤＳＦの戻り光の強度とを示すテーブルを伝送路情報１３５として保持してもよい。
【００４４】
さらに、記憶部１２５は、動作開始時に設定される光増幅器ＥＤＦＡ１の利得の初期値（例えば０ｄＢｍ等）における送信光の強度ＰＷｓａに対する、ＳＭＦの戻り光の強度ＰＷｒａとＤＳＦの戻り光の強度ＰＷｒｂとを伝送路情報１３５として保持してもよい。
【００４５】
また、伝送路情報１３５は、３以上の種類の光ファイバにおける送信光の強度と戻り光の強度との関係を有してもよい。
【００４６】
図６は、図２に示した光増幅器ＥＤＦＡ１、ＥＤＦＡ２の利得を制御する利得制御処理の一例を示す。図６に示した処理は、伝送装置１００ａ（１）の制御部１３０がプログラムを実行することにより実現される。なお、図６に示した処理は、制御部１３０に設けられるにハードウェアにより実行されてもよい。
【００４７】
なお、図６に示した処理は、図２に示した伝送装置１００ａ（２）の光増幅器ＥＤＦＡ１、ＥＤＦＡ２の利得の制御に用いられてもよい。この場合、図６に示した処理は、伝送装置１００ａ（１）および伝送装置１００ａ（２）において並行に行われる。
【００４８】
ステップＳ１００では、制御部１３０は、光増幅器ＥＤＦＡ１、ＥＤＦＡ２の利得を０ｄＢｍ等の初期値に設定する。例えば、制御部１３０は、定電圧電源１５０ａが出力する一定の電圧Ｖ１を、加算部１６０ａを介し電圧電流変換部１７０ａに出力する。すなわち、制御部１３０は、０ボルトの電圧ΔＶ１を加算部１６０ａに出力する。電圧電流変換部１７０ａは、加算部１６０ａから受信した電圧（Ｖ１＋ΔＶ１）を電流Ｉ１に変換し、変換した電流Ｉ１を光増幅器ＥＤＦＡ１のＬＤ１８０ａに供給する。ＬＤ１８０ａは、供給された電流Ｉ１に応じた強度の出力光を出力し、光増幅器ＥＤＦＡ１は、初期値に設定された利得で増幅した送信光を出力する。
【００４９】
また、制御部１３０は、定電圧電源１５０ｂが出力する一定の電圧Ｖ２を、加算部１６０ｂを介し電圧電流変換部１７０ｂに出力する。すなわち、制御部１３０は、０ボルトの電圧ΔＶ２を加算部１６０ｂに出力する。電圧電流変換部１７０ｂは、加算部１６０ｂから受信した電圧（Ｖ２＋ΔＶ２）を電流Ｉ２に変換し、変換した電流Ｉ２を光増幅器ＥＤＦＡ２のＬＤ１８０ｂに供給する。ＬＤ１８０ｂは、供給された電流Ｉ２に応じた強度の出力光を出力し、光増幅器ＥＤＦＡ２は、初期値に設定された利得で増幅した受信光を出力する。
【００５０】
ステップＳ１１０では、ＰＤ１２０ａは、送信光の強度を検出し、検出した送信光の強度を制御部１３０に出力する。
【００５１】
ステップＳ１２０では、ＰＤ１２０ｂは、戻り光の強度を検出し、検出した戻り光の強度を制御部１３０に出力する。
【００５２】
ステップＳ１３０では、ＰＤ１２０ｃは、受信光の強度を検出し、検出した受信光の強度を制御部１３０に出力する。
【００５３】
なお、制御部１３０は、ステップＳ１１０からステップＳ１３０の処理を並列に実行してもよい。
【００５４】
ステップＳ１４０では、制御部１３０は、伝送路情報１３５を参照し、ステップＳ１１０で検出された送信光の強度とステップＳ１２０で検出された戻り光の強度とに基づいて伝送路ＯＦ１の種類（例えば、ＳＭＦまたはＤＳＦ）を判別する。
【００５５】
ステップＳ１５０では、制御部１３０は、ステップＳ１１０で検出された送信光の強度、ステップＳ１３０で検出された受信光の強度、およびステップＳ１４０で判別された伝送路ＯＦ１の種類に基づいて伝送路ＯＦ１の長さを算出する。例えば、１３００ナノメートル帯域における光ファイバは、１キロメートル当たり０．４ｄＢ等の伝送損失特性を有し、１５５０ナノメートル帯域における光ファイバは、１キロメートル当たり０．２ｄＢ等の伝送損失特性を有する。なお、伝送路情報１３５は、伝送路ＯＦ１の種類ごとの伝送損失特性を予め保持する。
【００５６】
例えば、制御部１３０は、ステップＳ１１０で検出された送信光の強度とステップＳ１３０で検出された受信光の強度との差分を伝送損失として算出する。制御部１３０は、ステップＳ１４０で判別された伝送路ＯＦ１の種類における伝送損失特性に基づいて、算出した伝送損失から伝送路ＯＦ１の長さを求める。
【００５７】
ステップＳ１６０では、制御部１３０は、ステップＳ１４０で判別された伝送路ＯＦ１の種類およびステップＳ１５０で求められた伝送路ＯＦ１の長さに基づいて、光増幅器ＥＤＦＡ１のＬＤ１８０ａが出力する出力光の強度を調整する電圧ΔＶ１を決定する。
【００５８】
ステップＳ１７０では、制御部１３０は、ステップＳ１６０で決定された電圧ΔＶ１と決定前の電圧ΔＶ１との差分が、光増幅器ＥＤＦＡ１の利得に対する制御の収束を示す閾値以下か否かを判定する。制御部１３０は、差分が閾値以下の場合、制御が収束したと判定する。この場合、伝送装置１００ａ（１）の処理は、ステップＳ１８０に移る。一方、制御部１３０は、差分が閾値より大きい場合、光増幅器ＥＤＦＡ１の利得の制御は収束していないと判定する。制御部１３０は、ステップＳ１６０で決定した電圧ΔＶ１を加算部１６０ａに出力し、光増幅器ＥＤＦＡ１のＬＤ１８０ａが出力する出力光の強度を調整することで、光増幅器ＥＤＦＡ１の利得を設定する。この場合、伝送装置１００ａ（１）の処理は、ステップＳ１１０に移る。なお、伝送装置１００ａ（１）は、ステップＳ１４０およびステップＳ１５０の処理を省略してもよい。また、閾値は、伝送路ＯＦ１の種類および長さ等に基づいて決定されるのがよい。
【００５９】
ステップＳ１８０は、制御部１３０は、ステップＳ１４０で検出された受信光との強度に基づいて、光増幅器ＥＤＦＡ２のＬＤ１８０ｂが出力する出力光の強度を制御する電圧ΔＶ２を決定する。制御部１３０は、決定した電圧ΔＶ２を加算部１６０ｂに出力し、光増幅器ＥＤＦＡ２のＬＤ１８０ｂが出力する出力光の強度を調整することで、光増幅器ＥＤＦＡ２の利得を設定する。
【００６０】
そして、伝送装置１００ａ（１）は、処理を終了する。図６に示した処理は、伝送装置１００ａが新たに設置される時に実行されてもよいし、所定の時間間隔で実行されてもよい。
【００６１】
以上、図２から図６に示した実施形態では、送信光、戻り光および受信光の強度をそれぞれ検出することで、伝送路ＯＦ１の種類と長さとを求める。伝送装置１００ａは、求めた伝送路ＯＦ１の種類と長さとに基づいて光増幅器ＥＤＦＡ１により増幅する送信光の強度を調整することで、通信の品質が保証される範囲で光増幅器ＥＤＦＡ１の利得を制御することができる。すなわち、伝送路ＯＦ１の種類と長さに応じて光増幅器ＥＤＦＡ１の利得を、ブリルアン散乱が抑制される範囲で制御することで、伝送装置１００ａ（１）、１００ａ（２）間での通信の品質が低下することを抑止することができる。
【００６２】
また、伝送装置１００ａは、伝送路情報１３５を参照し、検出した送信光、戻り光および受信光の強度に基づいて伝送路ＯＦ１の種類および長さに応じた最適な利得を光増幅器ＥＤＦＡ１、ＥＤＦＡ２に設定する。伝送路ＯＦ１の種類および長さに応じた最適な利得が光増幅器ＥＤＦＡ１、ＥＤＦＡ２に設定されるため、光増幅器ＥＤＦＡ１、ＥＤＦＡ２における消費電力を削減することができる。
【００６３】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６４】
１０…第１光増幅器；２０…第１検出部；３０…第２検出部；４０…第３検出部；５０，１３０…制御部；１００（１），１００（２），１００ａ（１），１００ａ（２）…伝送装置；１１０…ＩＦ部；１１５…電気光変換部；１２０ａ−１２０ｃ…ＰＤ；１２５…記憶部；１３５…伝送路情報；１４０ａ，１４０ｂ…波長フィルタ；１５０ａ，１５０ｂ…定電圧電源；１６０ａ，１６０ｂ…加算部；１７０ａ，１７０ｂ…電圧電流変換部；１８０ａ，１８０ｂ…ＬＤ；１９０ａ，１９０ｂ…光ファイバ；２００…伝送システム；ＥＤＦＡ１，ＥＤＦＡ２…光増幅器；ＯＦ，ＯＦ１…伝送路；ＳＰ１−ＳＰ４…スプリッタ；ＳＬ１，ＳＬ２…信号線
【図１】
2016149622.tif 000003
【図２】
2016149622.tif 000004
【図３】
2016149622.tif 000005
【図４】
2016149622.tif 000006
【図５】
2016149622.tif 000007
【図６】
2016149622.tif 000008